(57)【要約】【課題】定位転換状態を交流電圧の一方の極性の半波信号で示し反位転換状態を他方の極性の半波信号で表示する転換表示信号を、鉄道信号用の有極リレーや時素用コンデンサなどを使用しない回路構成でありながら、正しく入力判定可能な転てつ表示入力装置を提供する。【解決手段】検査時は、リレー（ＣＨＫ）１４を駆動してその動作接点Ｎを閉成し、第１、第２照査入力回路１２、１３への入力を転換表示信号からＡＣ電源６５に切り替えかつ照査信号３３、３４をオンオフさせる。この時、照査信号に応じてオンオフする出力信号の出力を第１照査入力回路１２と第２照査入力回路１３で確認できれば第１、第２照査入力回路は共に正常（固定故障なし）と判定する。転換表示信号の入力はリレー（ＣＨＫ）１４の駆動を停止し、その復旧接点Ｒを閉成させて行い、判定正常を条件に、その入力内容を上位装置へ出力する。【選択図】図１
2010076648.tif 000002
【特許請求の範囲】
【請求項１】
転てつ機の転換表示回路から、転てつ機が定位転換状態であることを交流電圧の一方の極性の半波信号で示し、かつ、転てつ機が反位転換状態であることを交流電圧の他方の極性の半波信号で示し、かつ、転換中は無出力となる転換表示信号を入力し、この転換表示信号の表示内容を認識して上位装置へ出力する転てつ表示入力装置において、
正極性の信号が入力されている状態でのみ検査信号のオンオフに応じた第１出力信号を出力する第１照査入力回路と、
負極性の信号が入力されている状態でのみ検査信号のオンオフに応じた第２出力信号を出力する第２照査入力回路と、
前記転換表示信号と交流電圧信号とが入力され、そのいずれか一方を選択信号に基づいて選択して前記第１照査入力回路および前記第２照査入力回路へ出力する選択部と、
前記選択信号および前記検査信号の出力を制御すると共に前記第１出力信号および前記第２出力信号の入力された制御部と、
を有し、
前記制御部は、
前記交流電圧信号の選択を指示する前記選択信号とオンオフを繰り返す前記検査信号とを出力し、その出力期間中に前記第１出力信号と前記第２出力信号がオンオフした場合に前記第１照査入力回路および前記第２照査入力回路が正常であると判定し、
前記転換表示信号の選択を指示する前記選択信号とオンオフを繰り返す検査信号とを出力し、その出力期間中に入力される前記第１出力信号と前記第２出力信号に基づいて前記転換表示信号の表示内容を認識する
ことを特徴とする転てつ表示入力装置。
【請求項２】
前記制御部は、前記判定により前記第１照査入力回路と前記第２照査入力回路の正常が確認されたことを条件に、前記認識した表示内容を前記上位装置へ出力する
ことを特徴とする請求項１に記載の転てつ表示入力装置。
【請求項３】
前記制御部は、前記転てつ機の転換制御中に前記判定を行う
ことを特徴とする請求項１または２に記載の転てつ表示入力装置。
【請求項４】
前記制御部は、前記判定と前記認識とを連続して交互に行う
ことを特徴とする請求項１または２に記載の転てつ表示入力装置。
【発明の詳細な説明】
【技術分野】
【０００１】
本発明は、転てつ機の転換表示信号を入力し、その表示内容を上位装置へ出力する転てつ表示入力装置に係わり、特に、定位転換状態であることを交流電圧の一方の極性の半波信号で示し反位転換状態であることを他方の極性の半波信号で示し、転換中は無出力となる転換表示信号を入力する転てつ表示入力装置に関する。
【背景技術】
【０００２】
駅構内などで列車運行の安全を確保する電子連動装置は、転てつ機や信号機など遠隔の現場機器からその動作状態を示す入力信号を入力し、該入力信号が示す現場機器の動作状態に基づいて安全確保のための論理処理を行っている。かかる電子連動装置では、故障が発生しても該故障によって乗客が危険な事態に陥らないようにするフェールセーフ対策が施されている。そして、転てつ機の転換状態を示す転換表示信号を入力しその表示内容を上位装置である電子連動装置へ出力する転てつ表示入力装置においてもフェールセーフ性が求められる。
【０００３】
転換表示信号には、転てつ機が定位転換状態であることを交流電圧の一方の極性の半波信号で示し、転てつ機が反位転換状態であることを交流電圧の他方の極性の半波信号で示すタイプのものがある。図４は、このタイプの転換表示信号に対応した従来の転てつ表示入力装置を例示している。
【０００４】
転換表示回路６０は、ダイオードＺを有し、転てつ機が定位にあるときは、定位表示接点（ＮＫ）６１、６２が閉成、反位表示接点（ＲＫ）６３、６４が開放となり、ＡＣ電源６５からの交流電圧の正の半波をＮＫ端子６６−ＢＸ端子６７間に定位表示信号として出力する。また、転てつ機が反位にあるときは定位表示接点（ＮＫ）６１、６２が開放、反位表示接点（ＲＫ）６３、６４が閉成となり、ＡＣ電源６５からの交流電圧の負の半波を反位表示信号としてＲＫ端子６８−ＢＸ端子６７間に出力する。転換中は、定位表示信号、反位表示信号のいずれも発生せず無信号となる。
【０００５】
転てつ表示入力装置８０は、定位表示信号（交流電圧の正の半波）によって動作する有極リレー（ＮＫＲ）７１と、反位転換表示信号（交流電圧の負の半波）によって動作する有極リレー（ＲＫＲ）７２と、これらの有極リレー（ＮＫＲ）７１、（ＲＫＲ）７２にそれぞれ並列に接続されたコンデンサ（Ｃ）７３、７４とを入力回路として備えている。コンデンサ（Ｃ）７３、７４は、図５に示すように、正の半波によって動作した有極リレー（ＮＫＲ）７１や負の半波によって動作した有極リレー（ＲＫＲ）７２が、それぞれ次の半波までの無信号期間に復旧しないように電圧を保持する役割を果たす。
【０００６】
転てつ表示入力装置８０は、制御部８１と、第１照査入力回路８２と、第２照査入力回路８３を備え、第１照査入力回路８２の入力（ＮＫ端子８４−ＣＯＭ端子８５間）にはＤＣ電源８６と有極リレー（ＮＫＲ）７１の動作接点７１ｎとの直列回路が接続されている。第２照査入力回路８３の入力（ＲＫ端子８７−ＣＯＭ端子８５間）にはＤＣ電源８６と有極リレー（ＲＫＲ）７２の動作接点７２ｎの直列回路が接続されている。
【０００７】
第１照査入力回路８２は、制御部８１の端子ａ２から第１照査信号が入力されており、この第１照査信号がオンのときのみ、ＮＫ端子８４−ＣＯＭ端子８５間の入力状態を反映した第１出力信号を制御部８１の端子ａ１に出力する。同様に第２照査入力回路８３は、制御部８１の端子ｂ２から第２照査信号が入力されており、この第２照査信号がオンのときのみ、ＲＫ端子８７−ＣＯＭ端子８５間の入力状態を反映した第２出力信号を制御部８１の端子ｂ１に出力する。
【０００８】
制御部８１は、転てつ機の転換表示信号の表示内容を入力する際には、第１照査信号および第２照査信号をそれぞれ短い周期で繰り返しオンオフさせ、第１照査信号のオンオフに対応した信号が端子ａ１に入力されれば、転換表示回路６０が定位表示信号を出力していると認識し、第２照査信号のオンオフに対応した信号が端子ｂ１に入力されれば、転換表示回路６０が反位表示信号を出力していると認識する。そして、その認識結果を示す表示信号を上位の電子連動装置に出力するようになっている。
【０００９】
（１）照査入力回路は、直流入力信号に対してはＨｉｇｈ側固定故障のないことを確認可能な回路である（たとえば、特許文献１参照。）。制御部８１は、照査信号に対応してオンオフする信号が第１照査入力回路から入力されると接点７１ｎは閉成していると認識し、第２照査入力回路８３から入力されると接点７２ｎは閉成していると認識する。これらの認識は、照査入力回路に固定故障のない正常なものと判定する。なお、照査入力回路から入力される信号がオン固定の場合、その照査入力回路はＨｉｇｈ側固定故障していると判定する。
（２）有極リレー（ＮＫＲ）７１、（ＲＫＲ）７２には、非対称故障特性（動作状態で故障する危険側故障は極めて少ない、という特性）を有する鉄道信号用のものが使用される。
（３）有極リレー（ＮＫＲ）７１、（ＲＫＲ）７２は、コイルに＋から−へ電流が流れると動作するが逆極性の電圧が印加された場合や交流電源が印加された場合には動作せず復旧する特性を有しているので、制御ケーブルＷに何らかの要因で交流電源が混入した場合でも、有極リレー（ＮＫＲ）７１、（ＲＫＲ）７２は動作せずに復旧し、転てつ表示入力は「なし」となる。
これら（１）〜（３）により、図４の回路では、上位装置へ出力する表示信号のフェールセーフ性が確保されている。
【００１０】
【特許文献１】特開昭６３−２６５７６５号公報
【発明の開示】
【発明が解決しようとする課題】
【００１１】
しかし、図４に示すような従来の回路では、鉄道信号用の有極リレーや時素用コンデンサを使用するため、回路が大型で高価となるという問題があった。また、接点入力用の直流電源を要するという問題もあった。
【００１２】
本発明は、上記の問題を解決しようとするものであり、定位転換状態であることを交流電圧の一方の極性の半波信号で示し反位転換状態であることを他方の極性の半波信号で示し、転換中は無出力となる転換表示信号を、鉄道信号用の有極リレーや時素用コンデンサなどを使用しない回路構成でありながら、正しく入力判定することのできる転てつ表示入力装置を提供することを目的としている。
【課題を解決するための手段】
【００１３】
かかる目的を達成するための本発明の要旨とするところは、次の各項の発明に存する。
【００１４】
［１］転てつ機の転換表示回路から、転てつ機が定位転換状態であることを交流電圧の一方の極性の半波信号で示し、かつ、転てつ機が反位転換状態であることを交流電圧の他方の極性の半波信号で示し、かつ、転換中は無出力となる転換表示信号を入力し、この転換表示信号の表示内容を認識して上位装置へ出力する転てつ表示入力装置において、
正極性の信号が入力されている状態でのみ検査信号のオンオフに応じた第１出力信号を出力する第１照査入力回路と、
負極性の信号が入力されている状態でのみ検査信号のオンオフに応じた第２出力信号を出力する第２照査入力回路と、
前記転換表示信号と交流電圧信号とが入力され、そのいずれか一方を選択信号に基づいて選択して前記第１照査入力回路および前記第２照査入力回路へ出力する選択部と、
前記選択信号および前記検査信号の出力を制御すると共に前記第１出力信号および前記第２出力信号の入力された制御部と、
を有し、
前記制御部は、
前記交流電圧信号の選択を指示する前記選択信号とオンオフを繰り返す前記検査信号とを出力し、その出力期間中に前記第１出力信号と前記第２出力信号がオンオフした場合に前記第１照査入力回路および前記第２照査入力回路が正常であると判定し、
前記転換表示信号の選択を指示する前記選択信号とオンオフを繰り返す検査信号とを出力し、その出力期間中に入力される前記第１出力信号と前記第２出力信号に基づいて前記転換表示信号の表示内容を認識する  ことを特徴とする転てつ表示入力装置。
【００１５】
上記発明では、判定時には、第１、第２照査入力回路への入力を転換表示信号から交流電圧信号に切り替えて検査信号をオンオフさせる。そのとき、交流電圧信号の正の半波の期間に検査信号のオンオフに応じた第１出力信号が第１照査入力回路から出力されかつ交流電圧信号の負の半波の期間に検査信号のオンオフに応じた第２出力信号が第２照査入力回路から出力されれば第１照査入力回路および第２照査入力回路は固定故障なく正常であると判定する。また、転換表示信号の表示内容を入力するときは、第１、第２照査入力回路への入力として転換表示信号を選択し、検査信号をオンオフさせる。このとき検査信号のオンオフに対応してオンオフする第１出力信号が出力されれば、転換表示信号は正の半波（たとえば、定位表示信号）を出力していると認識し、検査信号のオンオフに対応してオンオフする第２出力信号が出力されれば、転換表示信号は負の半波（たとえば、反位表示信号）を出力していると認識する。
【００１６】
［２］前記制御部は、前記判定により前記第１照査入力回路と前記第２照査入力回路の正常が確認されたことを条件に、前記認識した表示内容を前記上位装置へ出力する
ことを特徴とする［１］に記載の転てつ表示入力装置。
【００１７】
上記発明では、第１照査入力回路と第２照査入力回路が正常であることが判定動作によって確認されたことを条件に、認識した転換表示信号の表示内容を上位装置へ出力する。
【００１８】
［３］前記制御部は、前記転てつ機の転換制御中に前記判定を行う
ことを特徴とする［１］または［２］に記載の転てつ表示入力装置。
【００１９】
上記発明では、転てつ機の転換制御中に、第１、第２照査入力回路の健全性を判定し、転換終了後に転換表示信号の表示内容を入力する。
【００２０】
［４］前記制御部は、前記判定と前記認識とを連続して交互に行う
ことを特徴とする［１］または［２］に記載の転てつ表示入力装置。
【００２１】
上記発明では、転換表示信号の表示内容を入力（認識）する際に、その認識と第１、第２照査入力回路の正常判定とを交互に連続して行う。たとえば、認識と判定をセットとした動作を複数回連続して行い、いずれの判定結果も正常な場合かつ認識結果が同一の場合にのみ、その認識結果を有効として上位装置に出力するといった動作を行う。
【発明の効果】
【００２２】
本発明に係る転てつ表示入力装置によれば、定位転換状態であることを交流電圧の一方の極性の半波信号で示し反位転換状態であることを他方の極性の半波信号で示し転換中は無出力となる転換表示信号を、鉄道信号用の有極リレーや時素用コンデンサなどを使用しない回路構成でありながら、正しく入力判定することができるので、装置の小型化と経済性、信頼性、安全性の向上に寄与することができる。
【発明を実施するための最良の形態】
【００２３】
以下、図面に基づき本発明の実施の形態を説明する。
【００２４】
図１は、本発明の実施の形態に係る転てつ表示入力装置１０およびその周辺回路を示している。転換表示回路６０は図４に示したものと同様であり、ダイオードＺを有し、転てつ機が定位にあるときは、定位表示接点（ＮＫ）６１、６２が閉成、反位表示接点（ＲＫ）６３、６４が開放となり、ＡＣ電源６５からの交流電圧の正の半波をＮＫ端子６６−ＢＸ端子６７間に定位表示信号として出力する。また、転てつ機が反位にあるときは定位表示接点（ＮＫ）６１、６２が開放、反位表示接点（ＲＫ）６３、６４が閉成となり、ＡＣ電源６５からの交流電圧の負の半波を反位表示信号としてＲＫ端子６８−ＢＸ端子６７間に出力する。転換中は、定位表示信号、反位表示信号のいずれも発生せず無信号（無出力）となる。
【００２５】
転てつ表示入力装置１０は、転換表示回路６０の出力する転換表示信号を入力してその表示内容を認識し、該認識した表示内容を示す表示信号３２を上位装置（電子連動装置）に向けて出力する機能を果たす。転てつ表示入力装置１０は、制御部１１と、第１照査入力回路１２と、第２照査入力回路１３と、リレー（ＣＨＫ）１４とを備えて構成される。制御部１１は、フェールセーフＣＰＵ（Central Processing Unit）、ＲＯＭ（Read Only Memory）、ＲＡＭ（Random Access Memory）等を主要部とした回路で構成される。制御部１１の端子ｄには、上位装置である電子連動装置から、転てつ機の転換制御に関する指示内容を示す制御信号３１が入力され、表示信号３２は制御部１１の端子ｅから上位装置に向けて出力される。
【００２６】
転てつ表示入力装置１０は、ＮＫ端子１６と、ＲＫ端子１７と、ＢＸ端子１８と、ＣＸ端子１９とを備え、ＮＫ端子１６は転換表示回路６０のＮＫ端子６６と、ＲＫ端子１７は転換表示回路６０のＲＫ端子６８と、ＢＸ端子１８は転換表示回路６０のＢＸ端子６７とそれぞれ制御ケーブルＷで接続されている。また、ＡＣ電源６５は、トランス（Ｔ）９０の一次側に接続され、トランス（Ｔ）９０の二次側の一方はＢＸ端子１８（図は、ＢＸ端子に接続された制御ケーブルの途中）に、他方は転てつ表示入力装置１０のＣＸ端子１９にそれぞれ接続されている。
【００２７】
転てつ表示入力装置１０の内部においては、ＮＫ端子１６はリレー（ＣＨＫ）１４の第１接点部１４Ａの復旧接点Ｒと接続されている。ＲＫ端子１７はリレー（ＣＨＫ）１４の第２接点部１４Ｂの復旧接点Ｒと接続されている。ＢＸ端子１８はリレー（ＣＨＫ）１４の第１接点部１４Ａの動作接点Ｎと第２接点部１４Ｂの動作接点Ｎとにそれぞれ接続されている。リレー（ＣＨＫ）１４の第１接点部１４Ａの共通接点Ｃは第１照査入力回路１２の（＋）入力に接続され、第２接点部１４Ｂの共通接点Ｃは第２照査入力回路１３の（−）入力に接続されている。ＣＸ端子１９は第１照査入力回路１２の（−）入力と第２照査入力回路１３の（＋）入力とにそれぞれ接続されている。
【００２８】
制御部１１は、端子ａ２から第１照査信号３３を第１照査入力回路１２の照査信号入力へ出力し、端子ｂ２から第２照査信号３４を第２照査入力回路１３の照査信号入力へそれぞれ出力する。第１照査入力回路１２の出力する第１出力信号３５は制御部１１の端子ａ１に入力され、第２照査入力回路１３の出力する第２出力信号３６は制御部１１の端子ｂ１に入力されている。またリレー（ＣＨＫ）１４のコイルは、制御部１１の端子Ｃ１−端子Ｃ２間に接続され、これらの端子Ｃ１、Ｃ２間に制御部１１から出力される駆動信号によって駆動される。リレー（ＣＨＫ）１４は、転換表示信号を第１、第２照査入力回路１２、１３に入力するか、トランス（Ｔ）９０からの交流電圧信号を第１、第２照査入力回路１２、１３に入力するか切り替える選択部として機能する。
【００２９】
第１照査入力回路１２は、制御部１１の端子ａ２から入力される第１照査信号３３がオンのときのみ、入力を反映した第１出力信号３５を出力する回路である。同様に第２照査入力回路１３は、制御部１１の端子ｂ２から入力される第２照査信号３４がオンのときのみ、入力を反映した第２出力信号３６を出力する回路である。
【００３０】
図２は、第１照査入力回路１２の一例を示している。第１照査入力回路１２は、（＋）入力端子４１と（−）入力端子４２の間に、第１抵抗器Ｒ１と第３抵抗器Ｒ３とが直列接続されている。さらにこの第３抵抗器Ｒ３と並列に、第２抵抗器Ｒ２と第１フォトカプラＰ１のフォトダイオードと第２フォトカプラＰ２のフォトトランジスタとを順方向に直列接続した回路が接続されている。第１フォトカプラＰ１のフォトダイオードのアノードと第２フォトカプラＰ２のフォトトランジスタのエミッタとの間には逆方向電流阻止用のダイオードＤ１が接続されている。第２フォトカプラＰ２のフォトダイオードのアノードは抵抗器を介して＋５Ｖに接続され、カソードは照査信号入力端子４４に接続されている。第１フォトカプラＰ１のフォトトランジスタのエミッタは接地され、コレクタは出力信号の出力端子４３に接続されている。第２照査入力回路１３も同様の構成であり、その説明は省略する。
【００３１】
（＋）入力端子４１と（−）入力端子４２の間に順方向の直流電圧が印加された状態で、照査信号入力端子４４にオンオフする照査信号を入力すると、この照査信号のオンオフに応じて第２フォトカプラＰ２がオンオフし、さらにこのオンオフに応じて第１フォトカプラＰ１がオンオフし、入力された照査信号のオンオフに対応してオンオフする出力信号が出力端子４３から出力される。
【００３２】
照査信号をオンオフした場合に出力端子４３から出力信号が継続的に出力される場合はＨｉｇｈ側の固定故障が生じていると判定される。照査信号をオンオフした場合に出力端子４３から出力信号が出力されない要因にはＬｏｗ側の固定故障と、（＋）入力端子４１と（−）入力端子４２の間に順方向の直流電圧が印加されない場合とがあり、この回路では、Ｌｏｗ側の固定故障は判定できない。照査信号をオンオフした場合にそのオンオフに対応した出力信号が出力端子４３から出力される場合は、（＋）入力端子４１と（−）入力端子４２の間に順方向の電圧が印加されており、かつＨｉｇｈ側、Ｌｏｗ側共に固定故障のないことが確認される。
【００３３】
次に、転てつ表示入力装置１０の動作を説明する。
【００３４】
制御部１１は、第１、第２照査入力回路１２、１３が正常か否かを判定する判定動作と、転換表示回路６０の出力する転換表示信号の表示内容を入力して認識する入力動作（認定動作）を行う。
【００３５】
判定動作では、制御部１１はリレー（ＣＨＫ）１４を駆動し、リレー（ＣＨＫ）１４の第１接点部１４Ａおよび第２接点部１４Ｂの各動作接点Ｎを閉成させ、トランス（Ｔ）９０からの交流電圧信号が第１照査入力回路１２および第２照査入力回路１３に入力される状態を形成する。この状態で制御部１１は、短い周期でオンオフを繰り返す第１照査信号３３および第２照査信号３４を出力する。このとき、交流電圧信号の正の半波の期間に第１照査信号３３のオンオフに対応してオンオフする第１出力信号３５が入力されることを確認できた場合は第１照査入力回路１２は正常である（固定故障なし）と判断する。詳細には、第１出力信号３５が「交流電圧信号のほぼ半サイクルの期間にわたってオンオフした後、オフ固定がほぼ半サイクルの期間継続する」という変化を繰り返し行う場合に、第１照査入力回路１２は正常である（固定故障なし）と判断する。
【００３６】
また、交流電圧信号の負の半波の期間に第２照査信号３４のオンオフに対応してオンオフする第２出力信号３６が入力されることを確認できた場合は第２照査入力回路１３は正常である（固定故障なし）と判断する。詳細には、第２出力信号３６が「交流電圧信号の半サイクルの期間にわたってオンオフした後、オフ固定が半サイクルの期間継続する」という変化を繰り返し行う場合に、第２照査入力回路１３は正常である（固定故障なし）と判断する。そして、第１照査入力回路１２と第２照査入力回路１３の双方が正常な場合に、最終的に正常と判定する。
【００３７】
制御部１１は、たとえば、上位装置から入力される制御信号３１に基づいて転換制御の行われる期間を認識し、転換制御中に上記の判定動作を行う。そして、第１、第２照査入力回路１２、１３が共に正常であると判定した場合は、リレー（ＣＨＫ）１４の駆動を停止して復旧させ、転換終了後に転換表示信号の入力動作を行う。転換終了は、たとえば、転換制御の開始から予め定められた転換所要時間の経過によって判断してもよいし、転てつ機のモータ電流を監視し、電流オフにより転換終了を認識してもよい。
【００３８】
制御部１１は、転換表示回路６０の出力する転換表示信号の表示内容を取り込む入力動作を行う際には、リレー（ＣＨＫ）１４の駆動を停止し、リレー（ＣＨＫ）１４の第１接点部１４Ａおよび第２接点部１４Ｂの各復旧接点Ｒを閉成させる。これにより、転換表示回路６０からの定位表示信号（交流電圧信号の正の半波）が第１照査入力回路１２に、反位表示信号（交流電圧信号の負の半波）が第２照査入力回路１３に入力される状態を形成する。
【００３９】
この状態で制御部１１は、短い周期でオンオフを繰り返す第１照査信号３３および第２照査信号３４を出力する。このとき、交流電圧信号の正の半波の期間に第１照査信号３３のオンオフに対応してオンオフする第１出力信号３５が入力され、かつ第２出力信号３６がオフ固定の場合は、定位表示信号の入力ありと認識する。一方、交流電圧信号の負の半波の期間に第２照査信号３４のオンオフに対応してオンオフする第２出力信号３６が入力され、かつ第１出力信号３５がオフ固定の場合は、反位表示信号の入力ありと認識する。
【００４０】
図３は、転換表示信号の表示内容を入力する際の各部の波形を示している。この図は、定位の場合を示している。転てつ機が定位に転換終了した場合、ＡＣ電源６５の正の半サイクル信号は、図示省略のフォトカプラなどによりディジタル信号に変換され、矩形の定位表示信号となって第１照査入力回路１２に入力される。この定位表示信号を短い周期で、オン（１）オフ（０）を繰り返す第１照査信号３３でサンプリングして得た第１出力信号３５が制御部１１の端子ａ１に入力される。制御部１１は、第１出力信号３５のオン（１）が規定数（たとえば、半サイクルの期間に第１出力信号３５がオンオフする回数の半分）以上あり、それに続く第１出力信号３５の連続オフ（０）の期間が規定数に相当する時間以上あれば、ＡＣ電源６５の正の半サイクル信号と判定し、入力有無判定＝「有」とする。たとえば、入力有無判定＝「有」が２回連続すれば、定位の入力有りを確定する。反位表示信号についても同様であり、その説明は省略する。
【００４１】
制御部１１は、転換制御中に行った判定動作の判定結果が正常であることを条件に、転換終了後に行った入力動作で得た転換表示信号の入力内容を示す表示信号３２を上位装置へ出力する。
【００４２】
判定動作による第１、第２照査入力回路１２、１３の故障診断が行われないと、転てつ機が転換終了していない状態で制御ケーブルＷの混触などにより、ＡＣ電源６５の交流電圧信号が第１、第２照査入力回路１２、１３に入力されることが想定される。その場合に、定位側の第１照査入力回路１２がＬｏｗ固定故障していると、あたかも、他方の正常な反位側の第２照査入力回路１３にのみ入力があると誤判定し、電子連動システム上位装置に反位転換を示す表示信号３２を出力することになり、列車の脱線、衝突などの重大な事故に至る恐れが生じる。本実施の形態に係る転てつ表示入力装置１０では、判定動作によって第１照査入力回路１２と第２照査入力回路１３の正常（健全性）を確認できたことを条件に、入力動作によって認識した表示内容を示す表示信号３２を上位装置に出力するので、上記の誤判定が防止される。
【００４３】
なお、判定動作を行うタイミングは転換制御中に限定されない。転換終了後にも行うようにされてもよい。たとえば、転換終了後に入力動作と判定動作とを交互に連続して繰り返し行ってもよい。入力動作と判定動作とを連続して交互に行うことで、判定動作と判定動作の間で行われる入力動作で得た入力内容に対する信頼性が向上する。たとえば、繰り返し行ったすべての判定動作で正常と判定された場合にのみ、入力内容を上位装置へ通知するように構成するとよい。
【００４４】
また、転換制御が１日に数回しか行われないような状況もあるので、転換制御の有無にかかわらず、転換待機中の任意のタイミングで判定動作を適宜行って異常を発見するように構成されてもよい。
【００４５】
以上、本発明の実施の形態を図面によって説明してきたが、具体的な構成は実施の形態に示したものに限られるものではなく、本発明の要旨を逸脱しない範囲における変更や追加があっても本発明に含まれる。
【００４６】
たとえば、第１、第２照査入力回路１２、１３は図２に示す構成のものに限定されず、照査信号がオンの間のみ入力を出力に反映する機能を備えた任意の照査回路でかまわない。
【００４７】
判定動作を転換制御中に行う場合には、リレー（ＣＨＫ）１４は転てつ機の転換を制御するリレーと兼用されてもよい。
【図面の簡単な説明】
【００４８】
【図１】本発明の実施の形態に係わる転てつ表示入力装置等の構成を示す回路図である。
【図２】照査入力回路の構成例を示す回路図である。
【図３】転換表示信号の表示内容を入力する際の各部の波形を示す波形図である。
【図４】従来から使用されている転てつ表示入力装置を示す回路図である。
【図５】図４の回路における各部の波形を示す波形図である。
【符号の説明】
【００４９】
１０…転てつ表示入力装置
１１…制御部
１２…第１照査入力回路
１３…第２照査入力回路
１４…リレー（ＣＨＫ）
１４Ａ…第１接点部
１４Ｂ…第２接点部
１６…ＮＫ端子
１７…ＲＫ端子
１８…ＢＸ端子
１９…ＣＸ端子
３１…制御信号
３２…表示信号
３３…第１照査信号
３４…第２照査信号
３５…第１出力信号
３６…第２出力信号
４１…（＋）入力端子
４２…（−）入力端子
４３…出力端子
４４…照査信号入力端子
６０…転換表示回路
６１、６２…定位表示接点（ＮＫ）
６３、６４…反位表示接点（ＲＫ）
６５…ＡＣ電源
６６…ＮＫ端子
６７…ＢＸ端子
６８…ＲＫ端子
９０…トランス（Ｔ）
ａ１…第１出力信号の入力端子
ａ２…第１照査信号の出力端子
ｂ１…第２出力信号の入力端子
ｂ２…第２照査信号の出力端子
Ｃ１…リレー駆動信号の出力端子
Ｃ２…リレー駆動信号の出力端子
ｄ…制御信号の入力端子
Ｄ１…ダイオード
ｅ…表示信号の出力端子
Ｐ１…第１フォトカプラ
Ｐ２…第２フォトカプラ
Ｒ１…第１抵抗器
Ｒ２…第２抵抗器
Ｒ３…第３抵抗器
Ｗ…制御ケーブル
Ｚ…転換表示回路のダイオード
【図１】
2010076648.tif 000003
【図２】
2010076648.tif 000004
【図３】
2010076648.tif 000005
【図４】
2010076648.tif 000006
【図５】
2010076648.tif 000007